【手続補正書】
【提出日】平成19年4月12日(2007.4.12)
【手続補正１】
【補正対象書類名】特許請求の範囲
【補正対象項目名】全文
【補正方法】変更
【補正の内容】
【特許請求の範囲】
【請求項１】
インクを吐出する複数のノズルを有する記録ヘッドと記録媒体とを記録の実行に伴って相対移動させると共に、前記ノズルからインクを吐出させることにより記録媒体に画像の記録を行うインクジェット記録装置において、
前記記録ヘッドは、
記録媒体との相対移動方向と交差する配列方向に沿って配置されたノズル列を含む複数のノズル群を備え、
前記各ノズル群内において前記相対移動方向に互いに隣接するノズル列の前記相対移動方向の距離と、
前記相対移動方向に互いに隣接するノズル群において、一方のノズル群のノズル列と他方のノズル群のノズル列との前記相対移動方向における距離と、が等しいことを特徴とするインクジェット記録装置。
【請求項２】
インクを吐出する複数のノズルを有する記録ヘッドと記録媒体とを記録の実行に伴って相対移動させると共に、前記ノズルからインクを吐出させることにより記録媒体に画像の記録を行うインクジェット記録装置において、
前記記録ヘッドは、
記録媒体との相対移動方向と交差する配列方向に沿って配置された複数のノズルからなるノズル列を複数含むノズル群を複数備え、
前記各ノズル群における各ノズルは、前記配列方向および前記相対移動方向において互いに異なる位置に配置されて各ノズル群の中で千鳥状に配されると共に、
前記複数のノズル群は、前記配列方向及び前記相対移動方向において互いに異なる位置に配置されて記録ヘッド内で千鳥状に配され、かつ
前記各ノズル群内で前記相対移動方向において隣接するノズル列の前記相対移動方向における距離と、前記相対移動方向において互いに隣接するノズル群において、一方のノズル群のノズル列と他方のノズル群のノズル列との前記相対移動方向における距離と、が等しいことを特徴とするインクジェット記録装置。
【請求項３】
前記ノズル群のうち、前記相対移動方向において隣接する少なくとも一組のノズル群は、各々のノズル列の一端部が配列方向において互いに重なり合う位置に配置されていることを特徴とする請求項１または２に記載のインクジェット記録装置。
【請求項４】
インクを吐出する複数のノズルを有する記録ヘッドと記録媒体とを相対移動させると共に、前記ノズルからインクを吐出させることにより記録媒体に画像の記録を行うインクジェット記録方法であって、
前記記録ヘッドは、
記録媒体との相対移動方向と交差する配列方向に沿って配置された複数のノズルからなるノズル列を複数有するノズル群を複数備え、
前記各ノズル群における各ノズルは、前記配列方向および前記相対移動方向において互いに異なる位置に配置されて各ノズル群の中で千鳥状に配されると共に、
前記複数のノズル群は、前記配列方向及び前記相対移動方向において互いに異なる位置に配置されて記録ヘッド内で千鳥状に配され、かつ
前記各ノズル群内で前記相対移動方向において隣接するノズル列の前記相対移動方向における距離と、前記相対移動方向において互いに隣接するノズル群において、一方のノズル群のノズル列と他方のノズル群のノズル列との前記相対移動方向における距離と、が等しく、
前記記録ヘッドと記録媒体とを、一定の速度で前記相対移動方向に相対移動させることにより、前記相対移動方向において一定の時間間隔を介して隣接するインク滴を形成することを特徴とするインクジェット記録方法。
【手続補正２】
【補正対象書類名】明細書
【補正対象項目名】発明の名称
【補正方法】変更
【補正の内容】
【発明の名称】インクジェット記録装置およびインクジェット記録方法
【手続補正３】
【補正対象書類名】明細書
【補正対象項目名】０００１
【補正方法】変更
【補正の内容】
【０００１】
本発明は、着色材を含有するインクの吐出口を集積配列してなるインクジェット記録ヘッドを用いて画像記録を行うインクジェット記録装置およびインクジェット記録方法に関する。より詳しくは、記録ヘッドに対する記録媒体の搬送方向において各ノズルが上流側と下流側に交互に千鳥状に配置されるノズル列からなるノズル群を複数個配置することにより構成される長尺な記録ヘッドを用いたインクジェット記録装置およびインクジェット記録方法に関する。特に、前記の長尺な記録ヘッドに対応する記録領域に対し、記録ヘッドを１回記録走査させることによって記録画像を完成させる所謂１パス記録に好適なインクジェット記録方法およびインクジェット記録装置に関する。
【手続補正４】
【補正対象書類名】明細書
【補正対象項目名】００１４
【補正方法】変更
【補正の内容】
【００１４】
本発明の第１の形態は、インクを吐出する複数のノズルを有する記録ヘッドと記録媒体とを記録の実行に伴って相対移動させると共に、前記ノズルからインクを吐出させることにより記録媒体に画像の記録を行うインクジェット記録装置において、前記記録ヘッドは、記録媒体との相対移動方向と交差する配列方向に沿って配置されたノズル列を含む複数のノズル群を備え、前記各ノズル群内において前記相対移動方向に互いに隣接するノズル列の前記相対移動方向の距離と、前記相対移動方向に互いに隣接するノズル群において、一方のノズル群のノズル列と他方のノズル群のノズル列との前記相対移動方向における距離と、が等しいことを特徴とする。
【手続補正５】
【補正対象書類名】明細書
【補正対象項目名】００１５
【補正方法】変更
【補正の内容】
【００１５】
本発明の第２の形態は、インクを吐出する複数のノズルを有する記録ヘッドと記録媒体とを記録の実行に伴って相対移動させると共に、前記ノズルからインクを吐出させることにより記録媒体に画像の記録を行うインクジェット記録装置において、前記記録ヘッドは、記録媒体との相対移動方向と交差する配列方向に沿って配置された複数のノズルからなるノズル列を複数含むノズル群を複数備え、前記各ノズル群における各ノズルは、前記配列方向および前記相対移動方向において互いに異なる位置に配置されて各ノズル群の中で千鳥状に配されると共に、前記複数のノズル群は、前記配列方向及び前記相対移動方向において互いに異なる位置に配置されて記録ヘッド内で千鳥状に配され、かつ前記各ノズル群内で前記相対移動方向において隣接するノズル列の前記相対移動方向における距離と、前記相対移動方向において互いに隣接するノズル群において、一方のノズル群のノズル列と他方のノズル群のノズル列との前記相対移動方向における距離と、が等しいことを特徴とする。
本発明の第３の形態は、インクを吐出する複数のノズルを有する記録ヘッドと記録媒体とを相対移動させると共に、前記ノズルからインクを吐出させることにより記録媒体に画像の記録を行うインクジェット記録方法であって、前記記録ヘッドは、記録媒体との相対移動方向と交差する配列方向に沿って配置された複数のノズルからなるノズル列を複数有するノズル群を複数備え、前記各ノズル群における各ノズルは、前記配列方向および前記相対移動方向において互いに異なる位置に配置されて各ノズル群の中で千鳥状に配されると共に、前記複数のノズル群は、前記配列方向及び前記相対移動方向において互いに異なる位置に配置されて記録ヘッド内で千鳥状に配され、かつ前記各ノズル群内で前記相対移動方向において隣接するノズル列の前記相対移動方向における距離と、前記相対移動方向において互いに隣接するノズル群において、一方のノズル群のノズル列と他方のノズル群のノズル列との前記相対移動方向における距離と、が等しく、前記記録ヘッドと記録媒体とを、一定の速度で前記相対移動方向に相対移動させることにより、前記相対移動方向において一定の時間間隔を介して隣接するインク滴を形成することを特徴とする。
【手続補正６】
【補正対象書類名】明細書
【補正対象項目名】００６７
【補正方法】変更
【補正の内容】
【００６７】
（本発明の第４の実施形態）
図１２は、本発明の第４の実施形態を示す図である。ここに示す記録ヘッド１１０は、各ノズル群を直線上に配列した一列のノズル列によって構成されている。各ノズル列は２列ずつ距離間隔Ｌ２を介して対向すると共に、対向する２列のノズル列におけるそれぞれのノズルは、互いにピッチ１１ＣだけＹ方向へとずらして配置されている。また、２列一組のノズル列は、上流側と下流側とにずらした位置に千鳥状に配列されており、上流側に位置する二列一組のノズル列と、下流側に位置する２列一組のノズル列とは、その上下両端部がＹ方向において重なり合うよう配置されている。